【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
ウェーブレット変換手段を用いて圧縮符号化された符号化画像データを暗号化する画像暗号化方法であって、
符号化する際の一連の各処理段階中の何れかの段階を指定する指定工程と、
該指定工程で指定された段階で処理出力されたデータ形式となるまで、符号化画像データを復号する復号工程と、
該復号工程により復号したデータを暗号化する暗号化工程と、
該暗号化工程で暗号化して得たデータを、前記指定工程で指定された段階に後続する処理段階を行わせるともに、符号化データ中の所定領域に、暗号化を行った段階を特定する情報を格納し、出力する符号化工程と
を備えることを特徴とする画像暗号化方法。
【請求項２】
前記指定工程は複数段階を指定可能とすることを特徴とする請求項１に記載の画像暗号化方法。
【請求項３】
ウェーブレット変換手段を用いて圧縮符号化された符号化画像データを暗号化する画像暗号化装置であって、
符号化する際の一連の各処理段階中の何れかの段階を指定する指定手段と、
該指定手段で指定された段階で処理出力されたデータとなるまで、符号化画像データを復号する復号手段と、
該復号手段により復号したデータを暗号化する暗号化手段と、
該暗号化手段で暗号化して得たデータを、前記指定手段で指定された段階に後続する処理段階を行わせるともに、符号化データ中の所定領域に暗号化を行った段階を特定する情報を格納し、出力する符号化手段と
を備えることを特徴とする画像暗号化装置。
【請求項４】
複数段階の処理を経て圧縮符号化された画像データを暗号化する画像暗号化方法であって、
複数の暗号化工程と、
ここで、それぞれの暗号化工程は、圧縮符号化する際の、異なる符号化
段階まで遡って復号処理し、当該段階での復号処理結果のデータを暗号化
し、遡った段階だけ再符号化処理を行って再圧縮符号化する；
暗号化工程を指定する指定工程と、
該指定工程で指定された暗号化工程を用いて圧縮符号化された画像データを暗号化すると共に圧縮符号化データ中の所定領域に、前記指定工程で指定した暗号化工程を特定する情報を格納し、出力する制御工程と
を備えることを特徴とする画像暗号化方法。
【請求項５】
複数段階の処理を経て圧縮符号化された画像データを暗号化する画像暗号化装置であって、
複数の暗号化手段と、
ここで、それぞれの暗号化手段は、圧縮符号化する際の、異なる符号化
段階まで遡って復号処理し、当該段階での復号処理結果のデータを暗号化
し、遡った段階だけ再符号化処理を行って再圧縮符号化する；
暗号化手段を指定する指定手段と、
該指定手段で指定された暗号化手段を用いて圧縮符号化された画像データを暗号化すると共に圧縮符号化データ中の所定領域に、前記指定手段で指定した暗号化手段を特定する情報を格納し、出力する制御手段と
を備えることを特徴とする画像暗号化装置。
【請求項６】
更に、前記指定手段で指定された暗号化手段が前記複数の暗号化手段中に存在するか否かを判断する判断手段と、
該判断手段で前記指定手段で指定された暗号化手段が存在しないと判断した場合、前記指定された暗号化手段に相当するコンピュータプログラムを取得し、登録する手段と
して機能することを特徴とする請求項５に記載の画像暗号化装置。
【請求項７】
個々の暗号化手段はコンピュータプログラムであって、それぞれはパーツプログラムを複数個パイプライン接続した構造を有し、
各暗号化手段で共通な部分処理についてはパーツプログラムを共有することを特徴とする請求項５又は６に記載の画像暗号化装置。
【請求項８】
画像データを複数の処理段階を経て圧縮符号化すると共に暗号化する画像暗号化方法であって、
前記複数の処理段階のいずれの段階でのデータに対して暗号化を行うかを指定する指定工程と、
該指定工程で指定された段階まで圧縮符号化に関する処理を行い、当該段階で生成されたデータを暗号化する暗号化工程と、
該暗号化工程で暗号化したデータに対して、後続する処理段階を継続させることで、暗号化及び圧縮符号化データを生成すると共に、当該符号化データ中の所定領域に暗号化を行った段階を特定する情報を格納し、出力する制御工程と
を備えることを特徴とする画像暗号化方法。
【請求項９】
画像データを複数の処理段階を経て圧縮符号化すると共に暗号化する画像暗号化装置であって、
前記複数の処理段階のいずれの段階でのデータに対して暗号化を行うかを指定する指定手段と、
該指定手段で指定された段階まで圧縮符号化に関する処理を行い、当該段階で生成されたデータを暗号化する暗号化手段と、
該暗号化手段で暗号化したデータに対して、後続する処理段階を継続させることで、暗号化及び圧縮符号化データを生成すると共に、当該符号化データ中の所定領域に暗号化を行った段階を特定する情報を格納し、出力する制御手段と
を備えることを特徴とする画像暗号化装置。
【請求項１０】
暗号化及び圧縮符号化された画像データの暗号化を解除する暗号復号方法であって、
入力した暗号化及び圧縮符号化された画像データの所定領域の情報を解析することで、符号化処理のどの段階で暗号化されたのかを判定する判定工程と、
該判定工程で判定した段階にまで遡って復号処理を行う復号工程と、
該復号工程で復号して得たデータに対し、暗号復号を行う暗号復号工程と、
該暗号復号工程で復号したデータを、注目段階以降の段階の圧縮符号化を行うことで暗号復号した圧縮符号化データを生成する工程と
を備えることを特徴とする暗号復号方法。
【請求項１１】
暗号化及び圧縮符号化された画像データの暗号化を解除する画像暗号復号装置であって、
入力した暗号化及び圧縮符号化された画像データの所定領域の情報を解析することで、符号化処理のどの段階で暗号化されたのかを判定する判定手段と、
該判定手段で判定した段階にまで遡って復号処理を行う復号手段と、
該復号手段で復号して得たデータに対し、暗号復号を行う暗号復号手段と、
該暗号復号手段で復号したデータを、注目段階以降の段階の圧縮符号化を行うことで暗号復号した圧縮符号化データを生成する手段と
を備えることを特徴とする画像暗号復号装置。
【請求項１２】
暗号化及び圧縮符号化された画像データの暗号化を解除する画像暗号復号方法であって、
複数の暗号復号工程と、
ここで、それぞれの暗号復号工程は、圧縮符号化する際の、異なる符号
化段階まで遡って復号処理し、当該段階での復号処理結果のデータの暗号
復号し、遡った段階だけ再符号化処理を行って再圧縮符号化する；
入力した暗号化及び圧縮符号化された画像データの所定領域の情報を解析することで、必要となる暗号復号工程を判定する判定工程と、
該判定工程で判定された暗号復号工程を用いて暗号化を解除した圧縮符号化画像データを出力する制御工程と
を備えることを特徴とする画像暗号復号方法。
【請求項１３】
暗号化及び圧縮符号化された画像データの暗号化を解除する画像暗号復号装置であって、
複数の暗号復号手段と、
ここで、それぞれの暗号復号工程は、圧縮符号化する際の、異なる符号
化段階まで遡って復号処理し、当該段階での復号処理結果のデータの暗号
復号し、遡った段階だけ再符号化処理を行って再圧縮符号化する；
入力した暗号化及び圧縮符号化された画像データの所定領域の情報を解析することで、必要となる暗号復号手段を判定する判定手段と、
該判定手段で判定された暗号復号手段を用いて暗号化を解除した圧縮符号化画像データを出力する制御手段と
を備えることを特徴とする画像暗号復号装置。
【請求項１４】
更に、前記判定手段で判定された暗号復号手段が前記複数の暗号復号手段中に存在するか否かを判断する判断手段と、
該判断手段で前記判定手段で判定された暗号復号手段が存在しないと判断した場合、前記判定された暗号復号手段に相当するコンピュータプログラムを取得し、登録する手段と
して機能することを特徴とする請求項１３に記載の画像暗号復号装置。
【請求項１５】
個々の暗号復号手段はコンピュータプログラムであって、それぞれはパーツプログラムを複数個パイプライン接続した構造を有し、
各暗号復号手段で共通な部分処理についてはパーツプログラムを共有することを特徴とする請求項１３又は１４に記載の画像暗号復号装置。
【請求項１６】
更に、前記判定手段で判定された暗号復号手段が前記複数の暗号復号手段中に存在するか否かを判断する判断手段と、
該判断手段で前記判定手段で判定した暗号復号手段が存在しないと判断した場合、所定の外部装置に前記判定手段で判定された暗号復号手段に相当する処理を要求するため、前記圧縮画像データを送信し、暗号復号後のデータを受信し、出力する手段と
して機能することを特徴とする請求項１３に記載の画像暗号復号装置。
【請求項１７】
暗号化され、圧縮符号化された画像データの暗号化及び圧縮符号化を復号する画像復号方法であって、
入力した暗号化及び圧縮符号化された画像データの所定領域の情報を解析することで、圧縮符号化を行う際のどの処理段階で暗号化されているかを判定する判定工程と、
該判定工程で判定された段階まで圧縮符号化に対応する復号処理を行い、当該段階で生成されたデータの暗号化を復号する暗号復号工程と、
該暗号復号工程で暗号復号したデータに対して、後続する処理段階を継続させることで、復号画像データを生成する制御工程と
を備えることを特徴とする画像復号方法。
【請求項１８】
暗号化され、圧縮符号化された画像データの暗号化及び圧縮符号化を復号する画像復号装置であって、
入力した暗号化及び圧縮符号化された画像データの所定領域の情報を解析することで、圧縮符号化を行う際のどの処理段階で暗号化されているかを判定する判定手段と、
該判定手段で判定された段階まで圧縮符号化に対応する復号処理を行い、当該段階で生成されたデータの暗号化を復号する暗号復号手段と、
該暗号復号手段で暗号復号したデータに対して、後続する処理段階を継続させることで、復号画像データを生成する制御手段と
を備えることを特徴とする画像復号装置。
【請求項１９】
請求項３、５乃至７、９のいずれか１項に記載の画像暗号化装置、又は、請求項１１、１３乃至１６のいずれか１項に記載の画像暗号復号装置、又は、請求項１８に記載の画像復号装置の機能をコンピュータに実現させるためのコンピュータプログラム。
【請求項２０】
請求項１９に記載のコンピュータプログラムを格納し、コンピュータが読込み可能なコンピュータ可読記憶媒体。